(57)【要約】【課題】充電及び／若しくは放電制御装置並びに／又は二次電池の過度の過熱に対する保護のためのいずれの回路装置を含む家庭用機器の提供。【解決手段】、回路装置が、二次電池と、二次電池を充電するかつ／又は放電するための充電及び／又は放電制御装置と、充電及び放電制御装置を外部電源に接続するためのコネクタと、充電及び／又は放電制御装置に電気接続されて配置された少なくとも１つの電流制限電子的構成要素と、必要に応じて、切り替え可能な負荷と、を備える。充電及び／又は放電制御装置がＤＣ−ＤＣコンバータであり、電流制限電子的構成要素が、充電及び／又は放電制御装置を外部電源に接続するためのコネクタと、充電及び／又は放電制御装置（３）との間に接続されて配設され、かつ電流制限電子的構成要素が、ポリマー正温度係数構成要素であると規定する回路装置を含む家庭用機器。【選択図】図１
2020162416.tif 000002
【特許請求の範囲】
【請求項１】
家庭用機器であって、
ヒューマンマシンインターフェース（ＨＭＩ）、
アプリケーション制御装置、ならびに
充電及び／若しくは放電制御装置（３）、並びに／又は二次電池（２）の過度の過熱に対する保護のための回路装置であって、前記回路装置（１）が、
−前記二次電池（２）と、
−前記二次電池（２）を充電し、かつ／又は放電するための前記充電及び／又は放電制御装置（３）と、
−前記充電及び放電制御装置（３）を外部電源（５）に接続するためのコネクタ（４）と、
−前記充電及び／又は放電制御装置（３）に電気接続されて配置された少なくとも１つの電流制限電子的構成要素（７）と、
−必要に応じて、切り替え可能な負荷と、を備え、
−前記充電及び／又は放電制御装置（３）がＤＣ−ＤＣコンバータであり、
−前記電流制限電子的構成要素（７）が、前記充電及び／又は放電制御装置（３）を前記外部電源（５）に接続するための前記コネクタ（４）と、前記充電及び／又は放電制御装置（３）との間に接続されて配設され、かつ
−前記電流制限電子的構成要素（７）が、ポリマー正温度係数構成要素であることを特徴とする、回路装置、
を含む家庭用機器。
【請求項２】
前記電流制限電子的構成要素（７）が、電子モジュールであり、前記電子モジュールは、前記電子モジュールの規定の閾値温度を下回る温度範囲内では、前記電流制限電子的構成要素を流れる電流を制限しない温度依存抵抗を有し、回路装置（１）のすべての通常状態条件の間に前記電流制限電子的構成要素（７）を流れる前記電流が、前記規定の閾値温度を上回る前記電流制限電子的構成要素（７）の自己発熱を引き起こさないことを特徴とする、請求項１に記載の家庭用機器。
【請求項３】
前記電流制限電子的構成要素（７）が、前記充電及び／又は放電制御装置（３）に隣接して配設されていることを特徴とする、請求項１又は２に記載の家庭用機器。
【請求項４】
前記電流制限電子的構成要素（７）が、棚電子的構成要素の標準物であることを特徴とする、請求項１〜３のいずれか一項に記載の家庭用機器。
【請求項５】
熱伝導体が、前記電流制限電子的構成要素（７）と前記充電及び／又は放電制御装置（３）との間に配設されていることを特徴とする、請求項１〜４のいずれか一項に記載の家庭用機器。
【請求項６】
前記熱伝導体の１つの面が、前記充電及び／又は放電制御装置（３）と接触していることを特徴とする、請求項５に記載の家庭用機器。
【請求項７】
少なくとも１つの更なる電流制限電子的構成要素（６）が、前記二次電池（２）に隣接して配設されていることを特徴とする、請求項１〜６のいずれか一項に記載の家庭用機器。
【請求項８】
熱伝導体が、前記更なる電流制限電子的構成要素（６）と前記二次電池（２）との間に配設されていることを特徴とする、請求項７に記載の家庭用機器。
【請求項９】
前記熱伝導体の１つの面が、前記二次電池（２）と接触していることを特徴とする、請求項８に記載の家庭用機器。
【請求項１０】
前記熱伝導体の１つの面が、前記電流制限電子的構成要素（６、７）と接触していることを特徴とする、請求項５又は９に記載の家庭用機器。
【請求項１１】
前記二次電池（２）に隣接して配設されている更なる電流制限保護装置が、溶断ヒューズ型のものであることを特徴とする、請求項７〜１０のいずれか一項に記載の家庭用機器。
【請求項１２】
前記充電及び／又は放電制御装置（３）が、前記外部電源（５）の逆分極に対して保護するための、前記外部電源（５）への接続用の前記コネクタ（４）の２つの極間に接続されているダイオード（９）を備えることを特徴とする、請求項１〜１１のいずれか一項に記載の家庭用機器。
【請求項１３】
前記家庭用機器が、電動シェイバ、電動脱毛器、電動歯ブラシ、脱毛機器および口腔ケア機器からなる群から選択されていることを特徴とする、請求項１〜１２のいずれか一項に記載の家庭用機器。
【発明の詳細な説明】
【技術分野】
【０００１】
提案される本発明は、特に、電動シェイバ、電動脱毛器、電動歯ブラシ、又は、より広くは、脱毛機器若しくは口腔ケア機器などの家庭用機器に一体化されている、充電及び／若しくは放電制御装置、並びに／又は二次電池の過度の過熱に対する保護のための回路装置に関する。
【背景技術】
【０００２】
英国特許第２  ３４９  ２８４（Ａ）号は、リチウム電池の過充電を防止するための回路装置を説明している。リチウムイオン電池の過充電は、セルに並列に接続された放熱バイパス構成要素によって防止され、電流バイパスは、セル電圧が閾値を上回るまで無視できる。かなりの電流がバイパスを流れると、抵抗器の温度が上がり、それにより、著しい更なる電流がセルを流れるのを防ぐように、バイパスは、セルに直列に接続された熱応答性抵抗器に良好に熱接触している。
【０００３】
しかし、抵抗器の自己発熱をもたらす電流が固定値を有するのは不利である。通常状態条件において、電流の振幅は、デバイスのそれぞれの条件に応じて変動する。したがって、提案された過充電保護を、回路装置の様々な条件に合わせて調整することはできない。
【０００４】
米国特許出願公開第２００７／００２５０４４（Ａ１）号は、複合電気回路保護デバイスを説明しており、このデバイスでは、ＰＰＴＣ抵抗器ホットゾーンが、ＭＯＶに対向する平面型の主要な箔電極から一貫して離れて生じ、それにより、ＭＯＶからＰＰＴＣ抵抗器への熱伝達を調節するような、ＭＯＶ素子からＰＰＴＣ素子への熱伝達を調節するためのサーマルマス材料（１３）の挿入によって、平面型ＰＰＴＣ抵抗素子と平面型ＭＯＶ素子との間の熱的結合が制御される。負荷を保護するために、バリスタ（ＭＯＶ）素子は、バリスタの破壊につながるバリスタ内の非常に高い温度を引き起こす重大な故障の場合、電気負荷を短絡させる（通常、すなわち、ＰＰＴＣ素子を設けることなく）。良好な熱的結合において平面型ＭＯＶ素子に直接実装された提案された平面型ＰＰＴＣ素子を設けることにより、ＰＰＴＣ素子は、ＭＯＶ素子が短絡電流によって昇温するとすぐに、負荷及びＭＯＶ素子への電流を制限することができる。しかし、電気回路保護デバイスは、負荷を保護するために実現されるべきいくつかの機能、すなわち、（１）過電圧及び／又は過電流の場合に負荷を短絡させること、（２）短絡の場合にバリスタ（ＭＯＶ）素子を昇温させること、（３）熱をＰＰＴＣ抵抗器に伝達すること、及び（４）電源から負荷とＭＯＶ素子との両方への電流を制限すること、を有するという事実による複雑な構造を有する。
【先行技術文献】
【特許文献】
【０００５】
【特許文献１】英国特許第２  ３４９  ２８４（Ａ）号
【特許文献２】米国特許出願公開第２００７／００２５０４４（Ａ１）号
【発明の概要】
【発明が解決しようとする課題】
【０００６】
したがって、本発明の目的は、棚電子的構成要素の単純物によって設けられ、かつ回路の、またデバイスの様々な状態条件に柔軟に適合する、過度の過熱に対して保護するための回路装置を提案することである。
【課題を解決するための手段】
【０００７】
この目的は、二次電池と、充電及び放電制御装置と、充電及び／又は放電制御装置を外部電源に接続するためのコネクタと、充電及び／又は放電制御装置に電気接続されて配置された少なくとも１つの電流制限電子的構成要素と、必要に応じて、切り替え可能な負荷と、を備える、回路装置で解決される。典型的な負荷は、歯ブラシのブラシ、シェイバの剪断ヘッド、脱毛器の脱毛ドラム、又は同様のものなどの家庭用機器を駆動するための電動モータによって形成されている。充電及び／又は放電制御装置は、ＤＣ−ＤＣコンバータであるように提案され、電流制限電子的構成要素は、充電及び／又は放電制御装置を外部電源に接続するためのコネクタと、充電及び／又は放電制御装置（３）との間の接続部に配設され、この場合、電流制限電子的構成要素は、ポリマー正温度係数構成要素（Polymeric Positive Temperature Coefficient component、PPTC component）の提案に即している。
【０００８】
充電及び／又は放電制御装置に電気接続されて配置された電流制限電子的構成要素としてＰＰＴＣ構成要素を使用することによって、二次電池の充電（及び／又は放電）中、充電及び／又は放電制御装置に（かつ／又はから）流れる電流は、電流制限電子的構成要素を流れている。電流制限電子的構成要素を流れる電流は、ＰＰＴＣ特性に従って、電流制限電子的構成要素の温度が上がるにつれて、制限される。これらのＰＰＴＣ特性は、電流制限電子的構成要素の温度上昇が、通常稼働条件中に起こらないことを確実にする。故障の場合に、電流制限電子的構成要素の温度上昇は、電流制限電子的構成要素それ自体以外の回路の構成要素の熱放射に、すなわち、具体的には、充電及び／又は放電制御装置に（主に）起因する。これは、振幅において、回路装置のいずれの通常状態条件にも対応する電流に対して有効である。これらの電流に対して、回路又はデバイスの少なくともいずれかの通常状態に対応する振幅を有する電流による電流制限電子的構成要素の自己発熱は、無視でき、電流の制限をもたらさない。この挙動は、これらの特定の温度特性を有することが、本提案に即して確認されているＰＰＴＣ構成要素を使用することによって、達成される。
【０００９】
これは、ＰＰＴＣ電流制限電子的構成要素が、著しく高い抵抗性又は著しく低い導電率につながる、温度上昇（電流制限電子的構成要素の）なしに、いずれの通常状態電流も伝導するのに選択されている、かつ／又は適していることを意味する。この場合に超えられるべきではない適切な閾値は、デバイス（２０℃、又は１５℃〜２５℃の範囲の周囲温度にある電流制限電子的構成要素を流れる電流のない）の通常周囲温度状態における導電率に対して、５％〜１５％の導電率における低下であってもよい。
【００１０】
言い換えれば、ＰＰＴＣ電流制限電子的構成要素は、周囲温度と、ほぼ電流及び温度独立の抵抗を備える稼働域を有する構成要素を流れる電流との抵抗依存性を示す。この稼働域では、電流制限電子的構成要素の抵抗は、ほぼ一定であり、すなわち、最高約１５％、好ましくは最高１０％の範囲で変動する。稼働域は、最大電流が、周囲温度閾値まで周囲温度を上げるに従って下がるような、周囲温度に依存している稼働域内に、電流制限電子的構成要素を流れる最大電流を制限する、境界関数又は曲線によって制限される。この周囲温度閾値及び／又は最大電流を超えている場合、電流制限電子的構成要素は、高抵抗状態にある。この高抵抗状態は、周囲温度閾値及び／又は最大電流を超えた量によって変化する抵抗の上昇における勾配を有する可能性がある。高い熱衝撃まで達した後、ＰＰＴＣ電流制限電子的構成要素の高抵抗状態は、ＰＰＴＣ構成要素へのより低い熱衝撃の場合でも維持される。これにより、回路装置内の発熱構成要素が冷える、高保護ユニットを確実にする。
【００１１】
デバイスの通常周囲温度範囲における回路装置の通常状態条件に対応する電流振幅に対して、電流制限電子的構成要素は、先に規定されたような稼働域にある。この稼働域において、電流制限電子的構成要素の抵抗は、一定のままである（少なくとも、先に規定された範囲において）。したがって、これらの通常電流及び通常周囲温度に対して、電流制限電子的構成要素の抵抗は、電流制限デバイスを流れる電流を制限することによって、デバイスの機能を制限することはない。しかし、電流がそれぞれの周囲温度に対して与えられた許容の最大電流（電流限度）を超える場合、又は、電流制限構成要素電子的構成要素の場所における周囲温度が周囲温度閾値を超える場合（ＰＰＴＣ構成要素への外部熱衝撃により）、高抵抗状態が、電流制限電子的構成要素を流れる電流を制限し、かつ／又は遮断し、このように、安全機能を果たす。
【００１２】
本提案の好ましい実施形態において、充電及び／又は放電制御装置は、二次電池の充電を制御するためだけの充電制御装置である可能性がある。この場合、切り替え可能な負荷による二次電池の放電は、別な方法で制御されてもよい。
【００１３】
更に、提案された電流制限電子的構成要素が、充電（及び／又は放電）制御装置の外部電源を接続するためのコネクタと充電（及び／又は放電）制御装置との間の接続部に配設されているので、制御装置の電子的構成要素、すなわちＤＣ−ＤＣコンバータの故障の場合でも外部電源からの充電中、電流が常時供給される状況が起こる可能性があり、電流振幅が、外部電源における永久（外見上無制限の）電力による回路装置の通常状態条件に対応する場合でも、制御装置の著しい発熱につながる。充電（及び／又は放電）制御装置として提案されたＤＣ−ＤＣ制御装置の利点は、ＤＣ−ＤＣ制御装置の熱損失が、先行技術による充電又は放電デバイスとして規則的に使用される、例えばシャントレギュレータと比べて極めて低い、ということである。
【００１４】
二次電池が回路の電力を送達する、回路における故障に対して保護するための更なる電流制限保護装置が、溶断ヒューズのような従来の電流制限素子として、本提案に即して選択されてもよい。この場合、高電流に対して回路装置を保護するためには、本提案の１つの態様に従うことで十分である。常時供給されるより小さな電流に起因する過熱は、この場合、二次電池の容量が限られているため起こらない可能性がある。これは、実際の適用において、重大な過熱が起こる前に、二次電池が放電されることを意味する。
【００１５】
本提案の更なる有利な態様は、従属項から明らかである。
【図面の簡単な説明】
【００１６】
【図１】本発明の１つの好ましい実施形態による、二次電池の過度の過熱に対する保護のための回路装置の実施形態を示す。
【図２】図１による回路装置の電気的構成要素又は電子的構成要素から放出される熱放射の影響を示す。
【図３】電流制限電子的構成要素の一例としての典型的なＰＰＴＣ構成要素の抵抗マップである、任意の単位で周囲温度に依存する構成要素を通る電流を表示するグラフを示す。
【発明を実施するための形態】
【００１７】
本提案は、充電及び／若しくは放電制御装置並びに／又は二次電池の過度の過熱に対する保護のためのいずれの回路装置にも関する。通常、回路装置は、少なくとも、二次電池と、二次電池の充電及び／又は放電を制御するための充電及び放電制御装置と、充電及び放電制御装置を外部電源に接続するためのコネクタと、必要に応じて、切り替え可能な負荷と、を備える。回路装置は、電動シェイバ、電動脱毛器、電動歯ブラシ、又は、より一般的には、脱毛機器若しくは口腔ケア機器などの家庭用機器に一体化されている場合がある。この場合、この切り替え可能な負荷は、電動モータである場合がある。当然ながら、これらの装置は、ヒューマンマシンインターフェース（Human Machine Interface、ＨＭＩ）及びアプリケーション制御装置も含む。ＨＭＩは、少なくとも１つのスイッチと、必要に応じて、ディスプレイと、アプリケーション制御装置を備えたマイクロプロセッサを備える場合がある。このマイクロプロセッサには、充電及び放電制御装置が含まれる可能性がある。
【００１８】
特に二次電池を充電している（かつ／又は放電している）間に、欠陥のある電子的構成要素の自己発熱によって引き起こされる電子回路の損傷を防ぐために、電流制限電子的構成要素は、電流制限電子的構成要素を通って充電及び／又は放電制御装置に流れる電流が、この電子的構成要素の温度上昇により制限されるような、充電及び／又は放電制御装置に電気接続されて配置されている。これは、温度の上昇の大きな影響が、少なくとも、電流の振幅がデバイス及び／又は回路の通常機能状態における通常電流の範囲にある場合に、回路の他の構成要素の熱放射によって引き起こされる、その温度の場合に上がる電流制限電子的構成要素の抵抗によって実現される。これらの電流は、すでに説明されているような本提案のＰＰＴＣ構成要素に即している電流制限電子的構成要素の設計において知られ、考慮されている。
【００１９】
本発明に即した本提案の好ましい実施形態を説明する前に、本提案のいくつかの異なる態様が説明される。これらの態様は、本発明による実施形態では、当業者によって認められるように、互いに独立して実現され得る。
【００２０】
言い換えて本提案の電流制限態様を説明すると、電流制限電子的構成要素は、回路装置において、充電（及び／又は放電）電流が電流制限電子的構成要素を流れるような直列配置において、充電及び／又は放電制御装置から、又はそれへ配設されている。電流制限電子的構成要素を流れる電流が回路装置の通常状態条件に対応する限り、電流制限電子的構成要素、及び回路装置の更なる構成要素（具体的には、通常稼働条件中に極めて低い熱損失を有する充電制御装置として使用されるＤＣ−ＤＣコンバータ）の自己発熱が、電流制限電子的構成要素を流れる電流の著しい制限につながらない。電流が、回路装置のいずれの通常動作中にも電流制限電子的構成要素を流れる電流の振幅を超えている場合にのみ（すなわち、言い換えれば、非通常条件に対応する場合のみ）、電流制限電子的構成要素、及び／又は回路装置の他の構成要素の自己発熱が、電流制限構成要素を通る許容電流を制限する。
【００２１】
電池の充電（及び／又は放電）中の回路装置の通常状態条件は、通常、様々な電流、すなわち、様々な振幅を有する電流を含む。したがって、ある（通常）状態条件において電流制限電子的構成要素を流れる電流の同じ値が、別の（通常ではない）状態条件におけるいくつかの電子的構成要素の過熱につながる可能性がある。したがって、通常条件における安全な動作を確保するために、電流制限電子的構成要素を流れるこのような電流の振幅の値が、電流の制限をもたらしてはならない。
【００２２】
それに加え、他の、具体的には、充電及び／又は放電制御装置、二次電池、例えばプロセッサの論理的構成要素などの電気的又は電子的構成要素からの熱放射による電流制限電子的構成要素の発熱は、本提案に即せば、電流制限電子的構成要素を流れる電流の制限につながる。
【００２３】
これが、電流制限電子的構成要素がＰＰＴＣ電子的モジュールであることによって実現され得るのが好ましい。ＰＰＴＣ素子は、電子的構成要素の規定の閾値温度を下回る温度範囲において電流制限電子的構成要素を流れる電流を制限しない温度依存抵抗を有し、この場合、回路装置のすべての通常状態条件の間に構成要素を流れる電流は、規定の閾値温度を上回る電子的構成要素の自己発熱をもたらさない。
【００２４】
しかし、この場合も、回路装置内の温度の上昇の場合、熱放射による電流制限電子的構成要素の発熱につながることから、過熱に対する保護が働く。結果として、温度が所与の温度限度を超えると、同じ電流振幅が回路装置の別の（通常）状態条件における規則的な電流である場合でも、電流制限電子的構成要素を流れる電流が制限される。これは、電流制限電子的構成要素の温度上昇が、電流制限電子的構成要素以外の回路の構成要素の熱放射に起因し、例えば、この電流制限電子的構成要素それ自体を流れる電流によって引き起こされない可能性があるという事実によるものである。これは、回路及び／又はデバイスの少なくとも１つの通常状態条件における電流の振幅に対応する電流のいずれの振幅に対しても真である可能性がある。
【００２５】
電流制限電子的構成要素の保護を、回路配置内の関連する構成要素に直接関連付けるために、必要に応じたくつかの電流制限電子的構成要素のうちの少なくとも１つが、空間的近傍、すなわち、充電及び／又は放電制御装置に隣接して配設されている可能性がある。充電及び放電制御装置は、ＤＣ−ＤＣコントローラであり、例えば、マイクロコントローラも含む可能性がある。充電及び放電制御装置の過熱は、通常、安全対策として、電流制限電子的デバイスを流れる許容電流を低減することによって、回路装置の機能の限度を判定する、深刻な誤差を示す。
【００２６】
提案された電流制限電子的構成要素が、充電及び／又は放電制御装置を外部電源に接続するためのコネクタと充電及び／又は放電制御装置それ自体との間の接続部（電気接続ライン）に配設されていることから、これは、高電流及び／又は外部電源によって常時印加される電流から起こる、充電及び／又は放電制御装置のいずれの類の過熱に対しても、効果的な保護である。本開示による好ましい選択肢において、空間的近傍に、すなわち、二次電池に隣接して配設された更なる電流制限保護装置は、溶断ヒューズ型のものであってもよい。これは、高電流に対する効果的な保護である。常時印加される小電流による過熱は、二次電池の限られた容量のために、より重要ではない場合がある。言い換えれば、二次電池から供給された小電流による過熱が起こる場合、その前に、二次電池が放電される可能性がある。
【００２７】
本提案に即した適切な電流制限電子的構成要素として、ポリマー正温度係数（ＰＰＴＣ）構成要素が提案されている。様々な温度依存抵抗及び／又は様々な許容の電流がＰＰＴＣ構成要素それ自体の自己発熱をもたらさない、このようなＰＰＴＣ構成要素が、市販されている。これらの構成要素は、棚の使用可能であり、市販の提案された電流制限電子的構成要素として、すなわち、例えば、ＰＰＴＣ構造を、バリスタ又はＭＯＶなどの別の保護構成要素と組み合わせた状態で、使用され得る。これは、製造経費が縮小されることから、本提案の重要な側面である。したがって、当業者であれば、回路装置の設計に適した寸法及び／又は構成のＰＰＴＣ構成要素を選択することができる。更に、これらのＰＰＴＣ構成要素は、単純に汎用回路基板に、ＳＭＤ技法で実装することができる。
【００２８】
それに加え（又は、本提案の代替の実施形態において）、必要に応じたいくつかの電流制限電子的構成要素のうちの少なくとも更なる１つが、空間的近傍に、すなわち二次電池に隣接して配設されていることが、定められている可能性がある。したがって、電池の過熱は、電流制限電子的デバイスを流れる電流が、規則的な使用中に起こる可能性のある振幅に依然として対応する場合でも、電流制限電子的デバイスの抵抗上昇につながる、電流制限電子的デバイスの発熱を直接引き起こし、電流制限電子的構成要素の自己発熱にはつながらないことになる。
【００２９】
提案される電流制限電子的構成要素の別の態様は、デバイスの機能の制限が、回路内の実際の温度が高すぎる、すなわち規定の温度限界を超えている状況に制限されることである。回路装置内の温度が冷却されているときには、電流の制限は、それ以上適用されず、デバイスは、規則的な動作を再開する。したがって、提案された電流制限電子的構成要素がＰＰＴＣ構成要素である場合、例えば、回路装置及び／又はデバイスの特定の状態条件に依存する電流の振幅のリセットを行う又はそれをテストするための、保護回路の更なる論理は必要ではない。それに加え、提案された電子制限電子的構成要素は、最大電流（好ましくは周囲温度依存の）を超える電流に対して保護する可能性がある。
【００３０】
本提案の別の、独立もしている態様によれば、熱伝導体は、それぞれの電流制限電子的構成要素と二次電池並びに／又は充電及び放電制御装置との間に配設され得る。これにより、回路装置の関連する素子間の熱伝導が高められる。しかし、熱伝導体は、過熱され、二次電池の過熱につながる可能性のある、電流制限電子的構成要素と回路装置の他の構成要素との間にも配設されている可能性がある。伝導体の１つの表面は、それぞれの電流制限電子的構成要素に接触していてもよい。したがって、他の構成要素の熱は、電流制限電子的構成要素、すなわち提案された安全構成要素に直接移される。同様に、二次電池並びに／又は充電及び放電制御装置によって生み出された熱を、安全構成要素、すなわち電流制限電子的構成要素電流制限電子的構成要素へ直接移すために、熱伝導体の１つの表面が、これらの構成要素の表面と接触していてもよい。電流制限電子的構成要素と、回路装置の他の素子又は構成要素との間に高熱伝導性を実現するために、熱伝導体の表面は、電流制限電子的構成要素と他の構成要素の両方と接触している可能性がある。
【００３１】
ＳＭＤ技法において電流制限電子的構成要素を回路配置に実装することは、電流制限電子的構成要素の回路基板上の回路への接続に好ましい技法である。ＳＭＤ技法は、はんだ付けなどの一般的な自動組立技法を使用して、回路基板の表面に実装され得る表面実装型デバイスに関する。したがって、回路基板へのＰＰＴＣ構成要素の実装は、他の電気的構成要素又は電子的構成要素の熱放射を受け取るために、小さな実装スペースを必要とし、また、ほとんどのいずれの望ましい位置においても、ＰＰＴＣ構成要素（又は別の電流制限電子的構成要素）の位置付けを可能にする。
【００３２】
図１は、本提案の実施形態による、回路装置の過度の過熱に対する保護のための回路装置１を概略的に示す。回路装置１は、すでに説明されているような家庭用機器などのデバイスのより大きな回路の一部である可能性がある。回路装置１は、二次電池２の他に、二次電池２の１つの極、示されている例ではプラス極に接続された充電及び／又は放電制御装置３（以下では、それが、充電制御装置、充電と放電との組み合わせ制御装置、又は放電制御装置であってもよいという意味での充電及び放電制御装置３）を備える。二次電池２の他の極、この例ではマイナス極は、アースＧＮＤに接続されている。充電（及び／又は放電）制御装置３は、ＤＣ−ＤＣコンバータであるか、又は少なくともそれを含む。
【００３３】
充電及び放電制御装置３は、二次電池２の充電（及び／又は放電）を制御する。充電のために、制御装置３は、図において矢印で示されている外部電源５を接続するためのコネクタ４と、制御装置３との間に電気接続されて配設されている。充電の場合、充電（及び／又は放電）制御装置３は、制御装置３を通してコネクタ４に接続された外部電源５から二次電池２内に流れる電流を制御する。
【００３４】
充電（及び／又は放電）制御装置３は、ＤＣ−ＤＣコンバータであり、充電及び／又は放電制御装置アプリケーションがインストールされたマイクロコントローラと、二次電池２への電流（具体的には、充電電流）、及び／又は二次電池２からの電流（具体的には、図示されていない負荷を駆動するための）をオンとオフを切り替えするための、マイクロプロセッサによる切り替え可能な、ＭＯＳＦＥＴトランジスタなどの電源スイッチと、を備える可能性がある。しかし、この提案に即せば、充電（及び／又は放電）制御装置３は、いずれのタイプのＤＣ−ＤＣコンバータによっても、通常の稼働状態において、低熱熱損失状態で二次電池２の充電を可能にする場合がある。このようにして、充電（及び／又は放電）制御装置３としてのＤＣ−ＤＣコンバータとＰＰＴＣ電流制限電子的構成要素との提案された組み合わせが、両構成要素の電気的特性の相乗的な利用を可能にする。
【００３５】
制御装置３の電子的構成要素は、必要とされる充電電力が充電中に二次電池２に負荷されるように、適合されている。必要に応じて、二次電池２から引き出された放電電力は、充電電流よりもかなり高い可能性があり、充電電流よりも高い放電電流につながる。しかし、二次電池の限られた容量のため、二次電池によって送達可能なエネルギが制限される。
【００３６】
構成要素の、具体的には、充電及び放電制御装置３の、かつ／又は二次電池２の許されない過熱につながる起こり得る誤差は、外部電源５と二次電池２との間に配設された電気的構成要素又は電子的構成要素のうちのいずれかにおいて起こる可能性がある。これらの構成要素は、外部電源５及び／又は二次電池２から電力を引き出し、これらの構成要素の自己発熱につながる可能性がある。また、二次電池２は、例えば充電電流が高すぎる場合、許容できない様式で昇温する可能性がある。しかし、この過剰な充電電流は、デバイスの規則的又は通常状態条件における通常の放電電流よりも依然として低い振幅である可能性がある。
【００３７】
これは、誤差の対処における難しさにつながる。電力（具体的には、電池へかつ／又はからの対応する電流）の公称値と誤差値とが酷似しており、デバイス及び／又は回路装置の通常状態条件のある場合では、等しいか又は重複してさえもいる。このように、これらの過熱保護素子を流れる電流（又は電力）に依存した保護を提供するように構成された通常の過熱保護素子は、この場合は働かない。更に、これらの場合の知られている過熱保護素子は、ＳＭＤ技法には適さず、かつ／又はそれ自体の綿密な制御装置を必要とする。したがって、このような部品の使用は、費用がかかる。
【００３８】
本提案に即して、少なくとも電流制限電子的構成要素７は、安価で、ＳＭＤ技法における回路基板に実装され得る棚ＰＰＴＣ構成要素であることが提案されている。このようなＰＰＴＣ構成要素は、過電流保護として働き、全般的には、すでに詳細に説明されているように、ある電流閾値を超えると、規定の自己発熱の原理で働く。
【００３９】
しかし、本提案によれば、ある特定の電流閾値は、すべての通常電流（すなわち、デバイス又は回路装置の通常状態条件において起こる電流の振幅）が、電流制限電子的構成要素６、７の何の制限もなく、許容されるように規定されている。この制限は、素子の挙動が制限されるか又はディレーティングされているように、ディレーティングとも呼ばれる。前述のように、このような構成は、二次電池２の過熱を引き起こす可能性がある電力状態又は電流が許されるので、安全な過熱保護につながらない。二次電池２のこの過熱は、回路に備えられている構成要素、特に充電及び放電制御装置３から放射された熱放射による、二次電池２の自己発熱及び／又は二次電池２の昇温によって引き起こされる可能性がある。
【００４０】
したがって、本提案の構想は、少なくとも、電流制限電子的構成要素７が、少なくとも、充電中に外部電源５から二次電池２に流れる充電電流が、少なくとも１つの電流制限電子的構成要素７を流れているような、充電（及び／又は放電）制御装置３に電気接続されて、配置されているということである。電流制限電子的構成要素７を流れる電流は、電流制限電子的構成要素７の温度上昇が制限され、この場合、電流制限電子的構成要素７の温度上昇は、主に、電流制限電子的構成要素７以外の回路装置１の構成要素の熱放射に、又は回路装置１及び／又はデバイスの通常状態条件に対応する通常電流以外の振幅がより高い過電流に起因する。
【００４１】
これは、第１の電流制限電子的構成要素７、及び必要に応じて、第２の電流制限電子的構成要素６を備える、図１及び２における実施形態用に示されている。電流制限電子的構成要素６、７の両方は、一例によれば、安価でＳＭＤ実装が可能であるＰＰＴＣ構成要素であってもよい。しかし、上述のように、本提案の別の好ましい実施形態は、電流制限電子構成部品７としてのＰＰＴＣ素子、及び電流制限電子的構成要素６としての溶断ヒューズ、また二次電池２用の指定電流制限保護装置（ＰＰＴＣ構成要素でもある電流制限電子的構成要素６に代えて）を提供する。特に、回路装置１が、主に、二次電池２からの高振幅電流に対して保護されなければならないことから、第２の電流制限電子的構成要素６は、溶断ヒューズ（普通の電流制限保護装置として使用される）の可能性がある。二次電池２の限られた容量のためである。より低い又は中程度の振幅電流（デバイス内の「通常」電流に相当する）は、二次電池２の限られた容量のために、回路における深刻な損傷をもたらすことがなく、それにより、限られた時間、これらの電流は、二次電池２によって送達され得る。
【００４２】
したがって、第１の電流制限電子的構成要素７は、充電及び放電制御装置３とコネクタ４との間の接続部に、好ましくは、充電（及び／又は放電）制御装置３の隣又はそれに隣接して提供され、配置されている。この電流制限電子的構成要素７は、制御装置３の過熱の場合に、少なくとも充電（及び／又は放電）制御装置３からの熱放射８を受ける。このような過熱は、通常、電流（具体的には、充電電流）が、外部電源５からデバイスに供給される場合にのみ、起こる可能性がある。当然ながら、二次電池２の熱放射も、この第１の電流制限電子的構成要素７に照射する。同じことが、回路内の考えられる他の電子的構成要素にも当てはまる。
【００４３】
それに加えて、二次電池２の近くに、更なる過熱保護が設けられている可能性がある。ある提案によれば、更なる又は第２の電流制限電子的構成要素６が、充電（及び／又は放電）制御装置３と二次電池２との間の接続部に配置されている。より全体的には、第２の電流制限電子的構成要素６の装置は、第２の電流制限電子的構成要素６が二次電池２の直近に、即ち、二次電池２の隣又はそれに隣接して、好ましくは充電（及び／又は放電）制御装置３の隣又はそれに隣接しても、配置されるように選択されている。したがって、第２の電流制限電子的構成要素６の好ましい配置は、二次電源２と制御装置３との間である。したがって、二次電池２及び／又は制御装置３の自己発熱は、第１の電流制限電子的構成要素６上に照射する、熱放射線８（図２に示されている）に導く。この熱放射８（図２において、矢印として示されている）は、更なる電流制限電子的構成要素６を昇温させ、抵抗上昇、引いては二次電池２に流れる電流の制限に導く。
【００４４】
しかし、この提案の一実施形態に即して、第１及び第２の電流制限電子的構成要素６、７は、制御装置３及び／又は二次電池の昇温が第１及び第２の電流制限電子的構成要素６、７に影響を及ぼす可能性があるという意味で、二次電池２及び制御装置３の隣に配置されている。第１及び第２の電流制限電子的構成要素６、７のこのような配置は、主に、二次電池２、並びに充電及び放電制御装置３の空間的近傍にある構成要素に対する過熱保護を制限する。第１及び第２の電流制限電子的構成要素６、７、並びに少なくともＰＰＴＣ電流制限電子的構成要素７は、電流制限構成要素６及び／又は７上へ照射する熱放射８に基づいてではなく、自己発熱に基づいて、それらの保護機能を作動させないことが好ましく、他の構成要素を形成する。電流の振幅が、デバイスのいずれの通常の電流振幅よりも高い閾値を超えている場合のみ、第１及び／又は第２の電流制限構成要素６、７の自己発熱が起こる。
【００４５】
すでに詳細に説明されているように、第２の電流制限電子的構成要素６は、本提案から逸脱することなく、普通の過熱保護（溶断ヒューズなど）の代わりにされる可能性がある。
【００４６】
提案に即せば、局所的な過熱保護は、回路の実際の電流又は電力の状態に関わらず、周辺の構成要素の実際の温度に基づいて実現されている。いずれの過熱の場合にも電流を制限することによって、全体回路内の温度が制限され、回路装置１が過熱に対して保護される。
【００４７】
この構想は、回路の局所的な（又は全体的でも）昇温の理由に関係なく、簡単且つ効果的な様式で、過熱に対して保護される他の電子的構成要素にも使用されてもよい。
【００４８】
２つ以上の電流制限電子的構成要素を設けることは、過熱保護の冗長性につながる可能性がある。また、電流制限電子的構成要素６、７と、二次電池２や制御装置３などの調査対象の構成要素との間の熱伝導要素（図示せず）の配置は、提案されたテクノロジーの効率を高める可能性がある。
【００４９】
この提案は、分散型過熱保護を実現するのに経済的である。更なる利点は、構成要素が制御されたリセットの必要なしに、冷やされると、デバイスが通常の機能に戻るということである。
【００５０】
図３は、この提案に即して説明されるような挙動を有する提案されたＰＰＴＣ電流制限電子的構成要素７の抵抗マップ１０を示す。周囲温度は、約０℃〜周囲温度閾値１１、例えば１２０℃の範囲である。
【００５１】
この周囲温度閾値１１を下回ると、電流制限電子的構成要素７は、電流制限電子的構成要素を流れている電流が最大電流曲線１３を下回っている限り、低温ゾーン１２が含まれている稼働域１５において稼働する。稼働域１５では、最大電流曲線１３と周囲温度との間に、一次従属性がある可能性がある。低温ゾーン１２（稼働域１５を含む）と周囲温度閾値１１との間には、最大電流曲線１３と周囲温度の間に、よりランダムな従属性がある状態で過渡ゾーン１４が規定されている可能性がある。
【００５２】
少なくとも稼働域１５では、ＰＰＴＣ電流制限電子的構成要素７の抵抗は、事実上一定、即ち、例えば最高１０％又は１５％の変動範囲内で一定である。
【００５３】
電流制限電子的構成要素７は、回路装置の通常状態条件が低温ゾーン１２に含まれた稼働域１５（動作域）内に位置付けられるように選択されている。典型的な提案されたデバイスでは、通常状態条件は、約４００ｍＡ〜約１０００ｍＡの電流の場合と、５℃〜５０℃の周囲温度の場合との範囲である可能性がある。過渡ゾーン１４は、約９０℃から始まる可能性がある。
【００５４】
回路装置内の構成要素の過熱の場合、周囲温度は、上がる恐れがある。少なくとも、周囲温度閾値１１を侵害した後、電流制限電子的構成要素は、図３では、最大電流曲線１３の上にある高抵抗モードで経過する（周囲温度閾値においてゼロであるか又はゼロに近い）。最大電流曲線１３の上方のこの領域では、電流フローは、ＰＰＴＣ構成要素抵抗の上昇によって制限されるか、又は止められさえもし、こうして、好ましい安全機能を実現する。
【００５５】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば、「４０ｍｍ」として開示される寸法は、「約４０ｍｍ」を意味するものとする。
【図１】
2020162416.tif 000003
【図２】
2020162416.tif 000004
【図３】
2020162416.tif 000005
【外国語明細書】
2020162416000001.pdf